(57)【要約】【課題】  コンタクト列の端部のみならずその中間部においても十分なノイズの低減効果が得られるようにする。【解決手段】  ケーブル側ハウジング１１と基板側ハウジング２１とを基板Ｂに対して垂直な方向に嵌合させたときにケーブル側コンタクト１２と基板側コンタクト２２とが接触する構成のスタック型ケーブルコネクタ１において、ケーブル側ハウジング１１内に設けられてケーブル側コンタクト１２の列と平行な方向に延び、各同軸ケーブルＣのシールド線Ｓ２と接続したケーブル側シールド板１４と、基板側ハウジング２１内に設けられて基板側コンタクト２２の列と平行な方向に延び、基板Ｂ上の接地端子ＧＴと接続した基板側シールド板２３とを備え、ケーブル側ハウジング１１と基板側ハウジング２１とが嵌合した状態において、ケーブル側シールド板１４の中間部と基板側シールド板２３の中間部とが接触するようになっている。【選択図】        図１
2006277960.tif 000002
【特許請求の範囲】
【請求項１】
互いに平行に延びた複数のケーブルの端部に取り付けられたケーブル側ハウジング及び前記ケーブル側ハウジング内に設けられ、前記複数のケーブルそれぞれの信号線と接続した複数のケーブル側コンタクトを備えて構成されるケーブル側コネクタと、基板上に取り付けられた基板側ハウジング及び前記基板側ハウジング内に設けられ、前記基板上の信号端子と接続した複数の基板側コンタクトを備えて構成される基板側コネクタとからなり、前記ケーブル側ハウジングと前記基板側ハウジングとを前記基板に対して垂直な方向に嵌合させたときに前記ケーブル側コンタクトと前記基板側コンタクトとが接触する構成のスタック型ケーブルコネクタにおいて、
前記ケーブル側ハウジング内に設けられて前記ケーブル側コンタクトの列と平行な方向に延び、前記各ケーブルのシールド線と接続したケーブル側シールド板と、
前記基板側ハウジング内に設けられて前記基板側コンタクトの列と平行な方向に延び、前記基板上の接地端子と接続した基板側シールド板とを備え、
前記ケーブル側ハウジングと前記基板側ハウジングとが嵌合した状態において、前記ケーブル側シールド板の中間部と前記基板側シールド板の中間部とが接触するようになっていることを特徴とするスタック型ケーブルコネクタ。
【請求項２】
前記ケーブル側ハウジングと前記基板側ハウジングとが嵌合した状態において、前記ケーブル側シールド板及び前記基板側シールド板の少なくとも一方が弾性的に撓んだ状態で他方と接触していることを特徴とする請求項１記載のスタック型ケーブルコネクタ。
【請求項３】
前記ケーブル側ハウジングと前記基板側ハウジングとが嵌合した状態において、前記ケーブル側シールド板の前記中間部及び前記基板側シールド板の前記中間部の一方に形成された突起が他方に形成された窪み部内に嵌入するようになっていることを特徴とする請求項１又は２記載のスタック型ケーブルコネクタ。
【発明の詳細な説明】
【技術分野】
【０００１】
本発明は、ケーブルの端部に取り付けられたケーブル側コネクタと基板上に設けられた基板側コネクタとからなり、これら両コネクタのハウジングを基板に対して垂直な方向に嵌合させてコンタクト同士を接触させるスタック型のケーブルコネクタに関する。
【背景技術】
【０００２】
スタック型のケーブルコネクタは、ケーブルの端部に取り付けられたケーブル側コネクタと基板上に設けられた基板側コネクタとからなり、これら両コネクタのハウジングを基板に対して垂直な方向に嵌合させてコンタクト同士を接触させる構成になっている。このスタック型ケーブルコネクタはサイズの微小化が可能であることからノートパソコンやディジタルカメラ、携帯電話等の小型電子機器に多く用いられている。
【０００３】
上記のようなスタック型のケーブルコネクタに限らず、サイズの小さいコネクタについては一般的にいえることではあるが、コネクタサイズが小さくなるとコンタクト同士の間隔も小さくなり（例えば０．５ｍｍ以下となることもある）、コンタクト間に発生するクロストークなどのノイズの問題が顕著となってくる。このようなコンタクト間のノイズを低減する簡便な方法としては、シールド板と呼ばれる導電性材料からなる板材をハウジング内のコンタクト列と平行に設けるものが知られている。このシールド板は基板上の接地端子などに接続することにより静電シールドとしての機能を果たすようになり、コンタクト間に発生するノイズを低減することができる。ここで、基板側コネクタのシールド板は直接基板上の接地端子に接続されるが、ケーブル側コネクタのシールド板は直接基板上の接地端子に接続することができないので、両コネクタのハウジング同士が嵌合した状態において、ケーブル側コネクタのシールド板が基板側コネクタのシールド板に接触するようにすることにより、基板側のみならずケーブル側のシールド板も接地端子に接続させることができるようになっている。
【特許文献１】特開２００４−２２０９０２号公報
【特許文献２】特開２００３−３３１９９３号公報
【特許文献３】特開２００２−３２４６３６号公報
【発明の開示】
【発明が解決しようとする課題】
【０００４】
しかしながら、上記従来のスタック型ケーブルコネクタでは、両コネクタの結合状態において、ケーブル側コネクタのシールド板と基板側コネクタのシールド板とはその両端部においてのみ接触するものであったため、両コネクタそれぞれのコンタクト列の端部についてはノイズの低減が十分になされるが、コンタクト列の中間部については十分なノイズの低減ができないという問題があった。また、両シールド板はその端部でのみ接触するため接触安定性が十分でなく、ノイズの低減効果が十分に発揮されない場合があった。
【０００５】
本発明はこのような問題に鑑みてなされたものであり、コンタクト列の端部のみならずその中間部においても十分なノイズの低減効果が得られる構成のスタック型ケーブルコネクタを提供することを目的としている。
【課題を解決するための手段】
【０００６】
本発明に係るスタック型ケーブルコネクタは、互いに平行に延びた複数のケーブル(例えば、実施形態における同軸ケーブルＣ)の端部に取り付けられたケーブル側ハウジング及びこのケーブル側ハウジング内に設けられ、複数のケーブルそれぞれの信号線と接続した複数のケーブル側コンタクトを備えて構成されるケーブル側コネクタと、基板上に取り付けられた基板側ハウジング及びこの基板側ハウジング内に設けられ、基板上の信号端子と接続した複数の基板側コンタクトを備えて構成される基板側コネクタとからなり、ケーブル側ハウジングと基板側ハウジングとを基板に対して垂直な方向に嵌合させたときにケーブル側コンタクトと基板側コンタクトとが接触する構成のスタック型ケーブルコネクタにおいて、ケーブル側ハウジング内に設けられてケーブル側コンタクトの列と平行な方向に延び、各ケーブルのシールド線と接続したケーブル側シールド板と、基板側ハウジング内に設けられて基板側コンタクトの列と平行な方向に延び、基板上の接地端子と接続した基板側シールド板とを備え、ケーブル側ハウジングと基板側ハウジングとが嵌合した状態において、ケーブル側シールド板の中間部と基板側シールド板の中間部とが接触するようになっている。
【０００７】
上記スタック型ケーブルコネクタにおいては、ケーブル側ハウジングと基板側ハウジングとが嵌合した状態において、ケーブル側シールド板及び基板側シールド板の少なくとも一方が弾性的に撓んだ状態で他方と接触していることが好ましい。また、ケーブル側ハウジングと基板側ハウジングとが嵌合した状態において、ケーブル側シールド板の中間部及び基板側シールド板の中間部の一方に形成された突起(例えば、実施形態における中間部係止突起２３ｇ)が他方に形成された窪み部(例えば、実施形態における突起嵌入窪み１６ｃ)内に嵌入するようになっていることが好ましい。
【発明の効果】
【０００８】
本発明に係るスタック型ケーブルコネクタでは、ケーブル側コンタクトの列と平行に設けられたケーブル側シールド板と、基板側コンタクトの列と平行に設けられた基板側シールド板とが、ケーブル側ハウジングと基板側ハウジングとが嵌合した状態において、互いの中間部において接触するようになっている。このような構成では、ケーブル側コネクタの各コンタクトはそのいずれもがケーブル側シールド板と近接した位置に位置することとなり、また基板側コネクタの各コンタクトはそのいずれもが基板側シールド板と近接した位置に位置することとなるので、それぞれのコンタクト列の端部のみならずその中間部においても十分なノイズの低減効果が得られる。また、これによりコネクタの信号伝送性能を向上させることもできる。
【０００９】
ここで、ケーブル側ハウジングと基板側ハウジングとが嵌合した状態において、ケーブル側シールド板及び基板側シールド板の少なくとも一方が弾性的に撓んだ状態で他方と接触する構成になっているのであれば、両シールド板の接触安定性は高められ、ノイズの低減効果を十分に発揮させることができる。また、ケーブル側ハウジングと基板側ハウジングとが嵌合した状態において、ケーブル側シールド板の中間部及び基板側シールド板の中間部の一方に形成された突起が他方に形成された窪み部内に嵌入するようになっているのであれば、これら突起と窪み部とが両コネクタの簡易ロック機構として働くので、両シールド板の接触安定性をより高めることが可能となる。
【発明を実施するための最良の形態】
【００１０】
以下、図面を参照して本発明の好ましい実施形態について説明する。図１〜図４は本発明の一実施形態に係るスタック型ケーブルコネクタ１を示している。このスタック型ケーブルコネクタ１は、複数の同軸ケーブルＣの端部に設けられたケーブル側コネクタ１０（図３及び図４では同軸ケーブルＣは不図示）と、基板Ｂ上に設けられた基板側コネクタ２０（図４では基板Ｂは不図示）とからなっており、両コネクタ１０，２０を結合させることにより同軸ケーブルＣと基板Ｂとを接続することができる。
【００１１】
ケーブル側コネクタ１０は互いに平行に延びた複数の同軸ケーブルＣの端部に取り付けられたケーブル側ハウジング１１と、このケーブル側ハウジング１１に保持されて上記同軸ケーブルＣの各々と接続した複数個のケーブル側コンタクト１２と、ケーブル側ハウジング１１に取り付けられた圧接カバー１３及びケーブル側シールド板１４とから構成されている。
【００１２】
ケーブル側ハウジング１１は樹脂等の電気絶縁性材料からなっており、一の方向（この方向をケーブル側ハウジング１１の幅（左右）方向とする）に延びた形状を有している。ケーブル側コンタクト１２は金属等の導電性材料からなっており、ケーブル側ハウジング１１の幅方向に整列した状態で各々ケーブル側ハウジング１１に保持されている。図１に示すように、各ケーブル側コンタクト１２の接触部１２ａはケーブル側ハウジング１１の下面側に突出して設けられたプラグ部１１ａの外周に沿う下方に屈曲した形状を有しており、プラグ部１１ａの下面において露出した状態となっている。また、各ケーブル側コンタクト１２の内方側（ケーブル側ハウジング１１の内方側）端部は図１に示すように上方に延びており、その上端部には上方に開口した形状の圧接部１２ｂ（図６（Ａ）も参照）が設けられている。
【００１３】
圧接カバー１３は樹脂等の電気絶縁性材料からなっており、ケーブル側ハウジング１１の幅方向に延びた状態でケーブルハウジング１１の上面側に取り付けられている。また、ケーブル側シールド板１４は金属等の導電性材料からなっており、圧接カバー１３と同様にケーブル側ハウジング１１の幅方向に延びた状態でケーブル側ハウジング１１に設けられている。このケーブル側シールド板１４は、ケーブル側ハウジング１１の上面側に設けられた上部シールド板１５と、この上部シールド板１５の下方においてケーブル側ハウジング１１のプラグ部１１ａとほぼ平行に（上下方向に）延びて設けられた下部シールド板１６とからなる。上部シールド板１５の外側端部には下方に曲げられた複数のＵ字屈曲部１５ａが幅方向に並んで設けられており（図３及び図１参照）、下部シールド板１６の上部には上部シールド板１５の各Ｕ字屈曲部１５ａを受容する上方に開口した形状の圧接部１６ａ（図６（Ｂ）も参照）が幅方向に並んで設けられている。また、図３及び図４に示すように、上部シールド板１５の幅方向端部（左右側部）には側部接触片１５ｂが下方に延びて設けられており、各側部接触片１５ｂには突起受容開口１５ｃが設けられている。また、図３及び図４に示すように、下部シールド板１６の幅方向の中間部には中間部接触片１６ｂ（計４つ）がケーブル側ハウジング１１から下方に延びた嵌入突起１１ｂ（計４つ）の外面に沿って下方に延びて設けられている。また、図１に示すように、各中間部接触片１６ｂの外面側には突起嵌入窪み１６ｃが設けられている（図７も参照）。
【００１４】
ケーブル側コネクタ１０が取り付けられる同軸ケーブルＣは図５に示すように、その中心部に導電性材料からなる信号線Ｓ１があり、その外周を覆うようにビニール等の電気絶縁性材料からなる内側被覆Ｄ１が設けられている。そして、この内側被覆Ｄ１の外周を覆うように導電性材料からなるシールド線Ｓ２が設けられており、更に、このシールド線Ｓ２の外周を覆うようにビニール等の電気絶縁性材料からなる外側被覆Ｄ２が設けられている。
【００１５】
ケーブル側ハウジング１１、複数のケーブル側コンタクト１２及び下部シールド板１６は例えばインサートモールドによって一体に形成される。このときケーブル側ハウジング１１の上面側にはケーブル側コンタクト１２の圧接部１２ｂと下部シールド板１６の圧接部１６ａが突出した状態となる。そして、各同軸ケーブルＣの先端領域の外側被覆Ｄ２とシールド線Ｓ２とを除去して内側被覆Ｄ１を剥き出しにした状態で、内側被覆Ｄ１の一部がケーブル側コンタクト１２の圧接部１２ｂ内に、また外側被覆Ｄ２の一部が下部シールド板１６の圧接部１６ａにかかるようにし、圧接カバー１３の端部を上部シールド板１５のＵ字屈曲部１５ａ内に入り込ませ、かつ各Ｕ字屈曲部１５ａを下部シールド板１６の各圧接部１６ａの上方に位置させたうえで、圧接カバー１３を下方へ押圧する。これにより同軸ケーブルＣの内側被覆Ｄ１はケーブル側コンタクト１２の圧接部１２ｂの内側エッジにより切り裂かれて信号線Ｓ１が圧接部１３ａと接触し（図６（Ａ）参照）、外側被覆Ｄ２は下部シールド板１６の圧接部１６ａの内側エッジにより切り裂かれてシールド線Ｓ２が圧接部１６ａと接触する（図６（Ｂ）参照）。このようにして同軸ケーブルＣの信号線Ｓ１はケーブル側コンタクト１２に接続され、シールド線Ｓ２は下部シールド板１６に接続される（図１参照）。また、圧接カバー１３の下方への押圧によって上部シールド板１５の各Ｕ字屈曲部１５ａは下部シールド板１６の各圧接部１６ａ内に圧入されるので（図６（Ｂ）参照）、上部シールド板１５は下部シールド板１６に接続される（図１参照）。
【００１６】
基板側コネクタ２０は基板Ｂ上に設けられた基板側ハウジング２１と、この基板側ハウジング２１に保持された複数個の基板側コンタクト２２と、基板側ハウジング２１に取り付けられた基板側シールド板２３とから構成されている。
【００１７】
基板側ハウジング２１は樹脂等の電気絶縁性材料からなっており、ケーブル側ハウジング１１と同様に一の方向（この方向を基板側ハウジング２１の幅（左右）方向とする）に延びた形状を有している。基板側コンタクト２２は金属等の導電性材料からなっており、基板側ハウジング２１の幅方向に整列した状態で各々基板側ハウジング２１に保持されている。各基板側コンタクト２２は上下方向に延びた基部２２ａが基板側ハウジング２１に設けられたコンタクト保持溝２１ａ内に圧入保持されており、基部２２ａより基板側ハウジング２１の外方に延びたリード部２２ｂが基板Ｂ上の信号端子ＳＴに接続されている。また、基部２２ａより基板側ハウジング２１の内方に延びた接触部２２ｃは基板側ハウジング２１に形成されたプラグ受容部２１ｂ（図７参照）の内縁に沿うように、下方に窪むように屈曲して延びている。
【００１８】
基板側シールド板２３は金属等の導電性材料からなっており、基板側ハウジング２１の幅方向に延びた状態で基板側ハウジング２１に設けられている。この基板側シールド板２３の幅方向の中間部は図３及び図４に示すように水平部２３ａ及び垂直部２３ｂからなる逆Ｌアングル状に形成されており、その両端部は基板側ハウジング２１の外側を上下方向に延びて側部接触片２３ｃを形成している。各側部接触片２３ｃには左右外方に突出した側部係止突起２３ｅが設けられるとともに、基板Ｂ上の接地端子ＧＴ（図３参照）に接続されるリード部２３ｆが基板側ハウジング２１の外方に延びて設けられている。また、基板側シールド板２３の幅方向中間部の水平部２３ａには上方に開口した突起受容開口２３ｄ（計４つ）が設けられており、基板側シールド板２３の垂直部２３ｂの中間部各所（水平部２３ａに設けられた突起受容開口２３ｄに対応する垂直部２３ｂの各所）には、ケーブル側ハウジング１１と基板側ハウジング２１とが嵌合したときに、下部シールド板１６の各中間部接触片１６ｂに形成された突起嵌入窪み１６ｃ内に嵌入する中間部係止突起２３ｇが設けられている（図１及び図７参照）。
【００１９】
基板側ハウジング２１、複数の基板側コンタクト２２及び基板側シールド板２３は例えばインサートモールドによって一体に形成される。このように形成された基板側コネクタ２０は基板Ｂ上の所定位置に設置され、各基板側コンタクト２２のリード部２２ｂは基板Ｂ上の信号端子ＳＴに、また基板側シールド板２３の各リード部２３ｆは基板Ｂ上の接地端子ＧＴに半田付け等によって接続される。
【００２０】
図７及び図１に示すように、ケーブル側コネクタ１０と基板側コネクタ２０との結合は、ケーブル側ハウジング１１と基板側ハウジング２１とを基板Ｂに対して垂直な方向に嵌合させることにより行う（図７参照）。具体的には、ケーブル側ハウジング１１に形成されたプラグ部１１ａと基板側ハウジング２１形成されたプラグ受容部２１ｂとを嵌合させる。これにより対応するケーブル側コンタクト１２の接触部１２ａと基板側コンタクト２２の接触部２２ｃとが接触する。なお、この際、基板側コンタクト２２の接触部２２ｃはケーブル側コネクタ１０のプラグ部１１ａにより押し広げられる（弾性変形する）ので、ケーブル側コンタクト１２の接触部１２ａと基板側コンタクト２２の接触部２２ｃとは適度な接触圧をもって接触する。そして、このようにケーブル側コンタクト１２と基板側コンタクト２２とが接触した状態となると、各同軸ケーブルＣの信号線Ｓ１はケーブル側コンタクト１２及び基板側コンタクト２２を介して基板Ｂ上の信号端子ＳＴに接続された状態となる。
【００２１】
また、ケーブル側ハウジング１１と基板側ハウジング２１とが嵌合した状態では、基板側シールド板２３の側部接触片２３ｃに設けられた側部係止突起２３ｅは上部シールド板１５の側部接触片１５ｂに設けられた突起受容開口１５ｃ内に嵌入するので、ケーブル側シールド板１４と基板側シールド板２３とはその両端部において接触し、かつ互いに係止された状態となる。また、ケーブル側ハウジング１１に形成された各嵌入突起１１ｂは基板側シールド板２３に形成された突起受容開口２３ｄ内に上方から嵌入し、下部シールド板１６の各中間部接触片１６ｂが基板側シールド板２３の垂直部２３ｂと接触するので、ケーブル側シールド板１４と基板側シールド板２３とはその中間部においても接触した状態となる。そして、基板側シールド板２３はそのリード部２３ｆが基板Ｂ上の接地端子ＧＴに接続されているため、基板側シールド板２３のみならずケーブル側シールド板１４も接地された状態となり、ケーブル側コンタクト１２同士の間及び基板側コンタクト２２同士の間において発生するノイズ（主に静電気に起因するノイズ）を低減し得る静電シールドが両コネクタ１０，２０内に形成される。
【００２２】
また、ケーブル側ハウジング１１と基板側ハウジング２１とが嵌合した状態では、ケーブル側ハウジング１１のプラグ部１１ａは基板側コンタクト２２の弾性力によって基板側シールド板２３の方向（図１では紙面左方）へ押圧されることになるので、ケーブル側ハウジング１１に形成された各嵌入突起１１ｂは基板側シールド板２３側へ押し付けられる。このため基板側シールド板２３の中間部は弾性的に撓んだ状態で下部シールド板１６の中間部（中間部接触片１６ｂ）と接触する。更に、基板側シールド板２３に形成された中間部係止突起２３ｇは、ケーブル側シールド板１４に（下部シールド板１６に）形成された突起嵌入窪み１６ｃ内に嵌入する（図１参照）。
【００２３】
このようにスタック型ケーブルコネクタ１では、ケーブル側コンタクト１２の列と平行に設けられたケーブル側シールド板１４と、基板側コンタクト２２の列と平行に設けられた基板側シールド板２３とが、ケーブル側ハウジング１１と基板側ハウジング２１とが嵌合した状態において、互いの中間部において接触するようになっている。このような構成では、ケーブル側コネクタ１０の各コンタクト１２はそのいずれもがケーブル側シールド板１４と近接した位置に位置することとなり、また基板側コネクタ２０の各コンタクト２２はそのいずれもが基板側シールド板２３と近接した位置に位置することとなるので、それぞれのコンタクト列の端部のみならずその中間部においても十分なノイズの低減効果が得られる。また、これによりコネクタ１の信号伝送性能を向上させることもできる。
【００２４】
また、ケーブル側ハウジング１１と基板側ハウジング２１とが嵌合した状態において、基板側シールド板２３の中間部は弾性的に撓んだ状態で下部シールド板１６の中間部（中間部接触片１６ｂ）と接触するので、両シールド板１４，２３の接触安定性は高められ、ノイズの低減効果を十分に発揮させることができる。また、ケーブル側ハウジング１１と基板側ハウジング２１とが嵌合した状態において、基板側シールド板２３に形成された中間部係止突起２３ｇが下部シールド板１６に形成された突起嵌入窪み１６ｃ内に嵌入することにより、これら中間部係止突起２３ｇと突起嵌入窪み１６ｃが両コネクタ１０，２０の簡易ロック機構として働くので、両シールド板１４，２３の接触安定性をより高めることが可能となる。
【００２５】
これまで本発明の好ましい実施形態について説明してきたが、本発明の範囲は上述の実施形態に示したものに限定されない。例えば、上述の実施形態では、ケーブル側コネクタ１０は同軸ケーブルＣの端部に取り付けられるものであったが、これはケーブルであれば必ずしも同軸ケーブルでなくてもよい。また、上述の実施形態において示した両コネクタ１０，２０の各構成部品の形状等は一例に過ぎず、ケーブル側ハウジング１１と基板側ハウジング２１とが嵌合した状態において、ケーブル側シールド板１４の中間部と基板側シールド板２３の中間部とが接触するようになっているのであれば、両コネクタ１０，２０のハウジング、コンタクト、シールド板等の形状は必ずしも上述の実施形態に示したものと同一である必要はない。
【００２６】
また、上述の実施形態では、ケーブル側ハウジング１１と基板側ハウジング２１とが嵌合した状態において、基板側シールド板２３の中間部に形成された突起（中間部係止突起２３ｇ）がケーブル側シールド板１４の中間部に形成された窪み部（突起嵌入窪み１６ｃ）内に嵌入する構成であったが、両コネクタ１０，２０のハウジングやシールド板の形状等によっては、ケーブル側シールド板の中間部に形成された突起が基板側シールド板の中間部に形成された窪み部内に嵌入する構成とすることもできる。また、上述の実施形態では、ケーブル側ハウジング１１と基板側ハウジング２１とが嵌合した状態において、ケーブル側シールド板１４の中間部と基板側シールド板２３の中間部とが部分的に（ケーブル側シールド板１４の中間部接触片１６ｂが延びている部分においてのみ）接触する構成となっていたが、両シールド板１４，２３の中間部全体が接触する構成となっていてもよい。
【図面の簡単な説明】
【００２７】
【図１】本発明の一実施形態に係るスタック型ケーブルコネクタの一例を示す図であり、図２における矢視I−Iから見た断面図である。
【図２】上記スタック型ケーブルコネクタの平面図（Ａ）、正面図（Ｂ）及び側面図（Ｃ）である。
【図３】ケーブル側コネクタと基板側コネクタとを分離した状態で示す上記スタック型ケーブルコネクタの上方斜視図である。
【図４】ケーブル側コネクタと基板側コネクタとを分離した状態で示す上記スタック型ケーブルコネクタの下方斜視図である。
【図５】上記スタック型ケーブルコネクタに接続される同軸ケーブルの断面図である。
【図６】（Ａ）は同軸ケーブルとケーブル側コンタクトの圧接部との接続工程を示す図、（Ｂ）は同軸ケーブルと基板側コンタクトの圧接部との接続工程を示す図である。
【図７】ケーブル側コネクタと基板側コネクタとが分離した状態における上記スタック型ケーブルコネクタの図１に相当する断面図である。
【符号の説明】
【００２８】
１      スタック型ケーブルコネクタ
１０    ケーブル側コネクタ
１１    ケーブル側ハウジング
１１ｂ  嵌入突起
１２    ケーブル側コンタクト
１４    ケーブル側シールド板
１５    上部シールド板
１６    下部シールド板
１６ｂ  中間部接触片
１６ｃ  突起嵌入窪み（窪み部）
２０    基板側コネクタ
２１    基板側ハウジング
２２    基板側コンタクト
２３    基板側シールド板
２３ｄ  突起受容開口
２３ｇ  中間部係止突起（突起）
Ｃ      同軸ケーブル（ケーブル）
Ｓ１    信号線
Ｓ２    シールド線
Ｂ      基板
ＳＴ    信号端子
ＧＴ    接地端子
【図１】
2006277960.tif 000003
【図２】
2006277960.tif 000004
【図３】
2006277960.tif 000005
【図４】
2006277960.tif 000006
【図５】
2006277960.tif 000007
【図６】
2006277960.tif 000008
【図７】
2006277960.tif 000009